(57)【要約】【課題】本発明は、インターネット又は他の記憶媒体からコンテンツを端末装置へ直接又は間接的に出力するためのコンテンツ出力方法を提供する。【解決手段】表示されるべきコンテンツのアドレスが第１の端末装置から第２の端末装置へ送信される。このコンテンツはその属するアプリケーションをコールアップ(calling-up)することによりチャージ（charge）される。その後、コンテンツをプリントアウトするため、及び／又はビットマップデータファイルを構築するためプリントジョブが上記第２の端末装置で開始され、これが上記第１の端末装置へ送信される。このプリントジョブは上記第１の端末装置のディスプレイにプリントプレビューとして表示されるか若しくは複写のためインターフェースを介してプリンタへ送信されるか、及び／又はビットマップデータファイルが第１の端末装置のディスプレイ上に表される。【特許請求の範囲】
【請求項１】
インターネット又は他の記憶媒体からコンテンツを端末装置へ直接又は間接的に出力するための方法であって、
表示されるべきコンテンツのアドレスが第１の端末装置から第２の端末装置へ送信され、そこで関連するアプリケーションを実行することにより該コンテンツがロードされ、ついで、コンテンツをプリントアウトするため、及び／又はビットマップデータファイルを作成するためプリントジョブが上記第２の端末装置で開始され、このプリントジョブが上記第１の端末装置に送信され、上記第１の端末装置にページプレビューとして表示されるか、及び／又はプリントアウトのためインターフェースを介してプリンタへ送信されるか、及び／又はビットマップファイルが上記第１の端末装置のディスプレイ上に表されることを特徴とするコンテンツ出力方法。
【請求項２】
該第１の端末装置がモバイル端末装置であることを特徴とする請求項１記載のコンテンツ出力方法。
【請求項３】
該モバイル端末装置が携帯電話、携帯コンピュータ、ラップトップ又はポケット型ＰＣであることを特徴とする請求項２記載のコンテンツ出力方法。
【請求項４】
該第１の端末装置が固定端末装置であることを特徴とする請求項１記載のコンテンツ出力方法。
【請求項５】
該第２の端末装置がモバイル端末装置であることを特徴とする請求項１乃至４のいずれか一項に記載のコンテンツ出力方法。
【請求項６】
該モバイル端末装置が携帯電話、携帯コンピュータ、ラップトップ又はポケット型ＰＣであることを特徴とする請求項５記載のコンテンツ出力方法。
【請求項７】
該インターフェースがケーブルインターフェース、赤外線又はブルートゥースインターネットであることを特徴とする請求項１乃至６のいずれか一項に記載のコンテンツ出力方法。
【請求項８】
表示されるべきコンテンツのアドレスがダイアルアップ接続又はインターネットを使用して送信されることを特徴とする請求項１乃至７のいずれか一項に記載のコンテンツ出力方法。
【請求項９】
該第１の端末装置がアドレスを伴ったディスプレイ情報を第２の端末装置へ送信し、文書から第１の端末装置の特定のディスプレイ要求を満たすビットマップファイルを作成することを特徴とする請求項１乃至８のいずれか一項に記載のコンテンツ出力方法。
【請求項１０】
該ディスプレイ情報が、ディスプレイサイズ、必要なスケージン及び／又はカラー又は白黒ディスプレイについての入力情報を含むことを特徴とする請求項９記載のコンテンツ出力方法。
【発明の詳細な説明】
【技術分野】
【０００１】
本発明は、インターネット又は他の記憶媒体からコンテンツ（情報の中身）を端末装置へ直接又は間接的に出力するためのコンテンツ出力方法に関する。
【背景技術】
【０００２】
過去において、インターネットは殆どが固定端末装置、例えばパーソナルコンピュータ又はその相関装置を介してアクセスされてきた。従って、表示されるコンテンツ、例えば文書、画像ファイルなどインターネットからダウンロードされるものについて特に制限はない。なぜならば、これらの端末装置は十分に大きなスクリーンのみならず、多数のアプリケーション（応用ソフト）を実行することができる複雑なＯＳ（基本ソフト）並びに多数のアプリケーションの記憶、大きいファイルの処理を可能にする大きいメモリ容量を備えているからである。
【０００３】
ところで、技術開発の枠組みにおいて、インターネットはますますモバイル（携帯）装置、例えば携帯電話、携帯コンピュータ、ラップトップ及びポケット型ＰＣを介してアクセスされるようになりつつある。固定端末装置とは対照的に、これらのモバイル型端末装置は特徴として、表示スクリーンが非常に小さく、ＯＳ（基本ソフト）（ウインドウズＣＥ、パーム（Palm社）、エポック／シンビアン（EPOC/Symbian）など）も極小で、アプリケーションバージョンもこの極小ＯＳ（基本ソフト）に適応した極小のもので、ワーキングメモリも小さなファイルを処理できるだけのもので、更にメモリ容量もアプリケーションの選択を提供するだけの小さなものである。
【０００４】
従って、全てのコンテンツを分かり易く表示できるというものではなく、全く表示できない場合もある。この理由から、インターネット規格ＨＴＭＬ（Hyper Text Markup Language）の他に、ＷＭＬ言語を備えたワップ（ＷＡＰ（Wireless Application Protocol））が開発された。このＷＡＰ規格のため、インターネットの制限された形が、モバイル装置を使って可能になった。これらＨＴＭＬ及びＷＡＰはしかしながら、これらの言語で作成された文書だけをモバイル端末装置に通信することができるに過ぎない。
【０００５】
この問題に対する解決として、関連ファイルをモバイル端末装置に表示することを目的として、この関連ファイルをミニマム（極小）フォーマット中に変換することが試みられている。しかし、この変換は手動で、かつ、オフラインで行われ、従って、その使用は極めて限られたものとなる。
【発明の開示】
【発明が解決しようとする課題】
【０００６】
それにも拘らず、固定端末装置もまた、データを翻訳するために必要なアプリケーションがインストールされていない場合、データをロード（loading）するのに利用可能なワーキングメモリが不十分な場合、あるいはアプリケーションを実行可能とするようなＯＳ（例えばＵｎｉｘについてのウインドウズアプリケーション）を有しない場合などにおいては、必ずしも関連コンテンツを適当な様式で表示できるとは限らない。
【０００７】
モバイル通信技術は規格ＧＭＳで成り立ってきたし、これからも規格ＧＰＲＳ及びＨＳＣＳＤ並びに将来のＵＭＴＳ（Universal Mobile Telecommunication System）で発展し続けるであろう。このように、通信の可能性が継続的に最適化されている。すなわち、通信可能なデータ量が莫大に増大することになる。しかし、コンテンツを発信する可能性は制限されたままである。
【０００８】
同様にして、このような端末装置からアクセスすることができるインターネット又は他のメモリ媒体からディスプレイされるコンテンツは制限を受けることになる。
【０００９】
従って、本発明の目的は、インターネット又は他の記憶媒体からあらゆるコンテンツを出力できるようにするためのコンテンツ出力方法を提供することである。
【課題を解決するための手段】
【００１０】
この目的は請求項１に記載の要旨からなる方法により解決される。
【００１１】
すなわち、本発明は、インターネット又は他の記憶媒体からコンテンツを端末装置へ直接又は間接的に出力するための方法を提供するものであって、この場合、表示されるべきコンテンツのアドレスが上記端末装置から、関連するアプリケーションの実行のもとで該コンテンツをロードできる第２の端末装置へ送信されることになる。その後、このコンテンツをプリントするためのプリントジョブが上記第２の端末装置で開始され、このプリントジョブが上記第１の端末装置へ送られる。このプリントジョブは上記第１の端末装置のディスプレイにページビューとして表示されるか若しくはプリントアウトのためインターフェースを介してプリンタへ送信される。
【００１２】
本明細書で［コンテンツ］とは、アプリケーションプログラムを用いて可視化され、プリント可能なファイル及びデータを意味する。これらのコンテンツはインターネット中（すなわち、コーポレートネットワーク環境）又は他のメモリ媒体（例えば、セントラルサーバ又は個々のオフィスコンピュータ）中に見出すことができる。
【００１３】
コンテンツのアドレスは通常、いわゆるＵＲＬ（Unified Resource Locator; 例えば、http//ｗｗｗ．thinprint.com/content.Doc）、アンアンビギュアス・パス・エントリー（unambiguous path entry）（C:＼Documents＼content.doc）又はアンアンビギュアス・ラベル（カスタマー番号1234を有するカスタマー情報）である。これらのアドレスの形態の全ては、処理された形で端末装置使用者に提供することもできる。
【発明の効果】
【００１４】
以上、詳述したように、本発明によれば、インターネット又は他の記憶媒体からあらゆるコンテンツを出力できる。
【発明を実施するための最良の形態】
【００１５】
以下、本発明の好適なコンテンツ出力方法の実施の形態について詳細に説明する。
【００１６】
第１の端末装置は、モバイル端末装置、例えば携帯電話、携帯コンピュータ、ラップトップ、ポケット型ＰＣ、その他の類似装置であることが好ましい。しかし、この第１の端末装置は、固定装置、例えば上述のようにディスプレイに適していないコンピュータであってもよい。
【００１７】
上記第２の端末装置は、通常、大容量固定コンピュータ又はその相関装置である。しかし、適当に設備を備えていれば、モバイル端末装置を使用することも可能である。
【００１８】
インターフェースは一般的なケーブルインターフェース、赤外線又はブルートゥース(Bluetooth)インターネット等であってもよい。
【００１９】
表示されるべきコンテンツのアドレスは、好ましくはダイアルアップ(dial-up)接続又はインターネットを使用して第２の端末装置へ送信される。それによりこの第２の端末装置は使用者の家庭又はオフィスにおけるコンピュータ、コーポレート(corporate)サーバ又はこのサーバを提供するインターネットサービスプロバイダーのサーバであってもよい。
【００２０】
もし、上記第１の端末装置又はモバイル端末装置がプリントジョブをオンスクリーンでディスプレイできないときは、上記第２の端末装置から同時にビットマップファイルが作成され、これがプリントジョブに加えて、又はそれに代わってこの第１の端末装置に送られる。なぜならば、ビットマップファイルは通常、グラフィックディスプレイ機能を有する全ての端末装置に配布することができるからである。
【００２１】
第２の端末装置から第１の端末装置へのデータの送信をできるだけ維持するため、モバイル端末装置又は第１の端末装置はそのディスプレイ情報、例えばディスプレイサイズ、必要なスケーリング（scaling）、カラー又は白黒ディスプレイを上記第２の端末装置へ伝達する。それにより、特定の要求を満たす文書からビットマップファイルが作成される。それにより実際に必要なデータ量のみが送信されることになる。
【００２２】
本発明の更なる発展は従属請求項の記載のごとく特徴付けることができる。
【００２３】
すなわち、第１の端末装置がモバイル端末装置であってもよく、モバイル端末装置が携帯電話、携帯コンピュータ、ラップトップ又はポケット型ＰＣであってもよい。
【００２４】
また、第１の端末装置が固定端末装置であってもよく、第２の端末装置がモバイル端末装置であってもよい。
【００２５】
また、インターフェースがケーブルインターフェース、赤外線又はブルートゥースインターネットであってもよい。
【００２６】
また、表示されるべきコンテンツのアドレスがダイアルアップ接続又はインターネットを使用して送信されるものであってもよい。
【００２７】
さらに、第１の端末装置がアドレスを伴ったディスプレイ情報を第２の端末装置へ送信し、文書から第１の端末装置の特定のディスプレイ要求を満たすビットマップファイルを作成するものであってもよい。
【００２８】
さらにまた、ディスプレイ情報が、ディスプレイサイズ、必要なスケージン及び／又はカラー又は白黒ディスプレイについての入力情報を含むものであってもよい。
【国際公開パンフレット】
2004536413.tif 000002
2004536413.tif 000003
2004536413.tif 000004
2004536413.tif 000005
2004536413.tif 000006
2004536413.tif 000007
2004536413.tif 000008
2004536413.tif 000009
【国際公開パンフレット（コレクトバージョン）】
2004536413.tif 000010
【国際調査報告】
2004536413.tif 000011
2004536413.tif 000012
2004536413.tif 000013
2004536413.tif 000014